(57)【要約】【課題】児童を救助しようとする者がどの児童を救助すべきかを即座に認識できるようにすること。【解決手段】通報制御装置５０は、何れかの児童の携帯端末装置１０が識別情報及び位置情報を送信してきた時に、その児童の顔写真の画像データを含む電子メールである救助要求メールを、その携帯端末装置１０の現在位置から所定の上限値未満の距離にある協力者端末装置へ、送信する（ステップＳ１０１乃至Ｓ１０９）。協力者端末装置４０は、救助要求メールを受信すると、その救助要求メールに基づいて児童の顔写真の画像を表示する。【選択図】図８
2008211471.tif 000002
【特許請求の範囲】
【請求項１】
コンピュータが、
複数の協力者の端末装置ごとにその協力者の居所の所在を特定する位置情報を記録した協力者情報管理テーブルと、
複数の児童が所持する携帯端末装置を一意に特定するための携帯端末識別情報とその児童の顔写真とを記録した児童情報管理テーブルとを備え、
何れかの携帯端末装置の携帯端末識別情報とその携帯端末装置の所在を特定する位置情報とを、通信装置を介して受信する受信手順、
前記協力者情報管理テーブルを参照し、前記受信手順で受信した位置情報により特定される位置から所定の範囲に含まれる協力者の端末装置を抽出する抽出手順、及び、
前記受信手順で受信した携帯端末識別情報に対応する画像データを、前記抽出手順で抽出した協力者の端末装置に、通信装置を介して送信する送信手順
を実行する
ことを特徴とする通報方法。
【請求項２】
前記協力者情報管理テーブルは、協力者の画像データを含み、
前記協力者端末装置から、回答を通信装置を介して受信すると、前記協力者情報管理テーブルを参照し、該協力者端末装置に対応する協力者の画像データを、前記携帯端末装置へ、通信装置を介して送信する第２の送信手順
を実行する
ことを特徴とする請求項１記載の通報方法。
【請求項３】
複数の協力者の端末装置ごとにその協力者の居所の所在を特定する位置情報を記録した協力者情報管理テーブル、
複数の児童が所持する携帯端末装置を一意に特定するための携帯端末識別情報とその児童の顔写真とを記録した児童情報管理テーブル、
何れかの携帯端末装置の携帯端末識別情報とその携帯端末装置の所在を特定する位置情報とを、通信装置を介して受信する受信部、
前記協力者情報管理テーブルを参照し、前記受信部で受信した位置情報により特定される位置から所定の範囲に含まれる協力者の端末装置を抽出する抽出部、及び、
前記受信部で受信した携帯端末識別情報に対応する画像データを、前記抽出部で抽出した協力者の端末装置に、通信装置を介して送信する送信部
を備えることを特徴とする通報システム。
【請求項４】
コンピュータを、
複数の協力者の端末装置ごとにその協力者の居所の所在を特定する位置情報を記録した協力者情報管理テーブル、
複数の児童が所持する携帯端末装置を一意に特定するための携帯端末識別情報とその児童の顔写真とを記録した児童情報管理テーブルと、
何れかの携帯端末装置の携帯端末識別情報とその携帯端末装置の所在を特定する位置情報とを、通信装置を介して受信する受信手段、
前記協力者情報管理テーブルを参照し、前記受信手段で受信した位置情報により特定される位置から所定の範囲に含まれる協力者の端末装置を抽出する抽出手段、及び、
前記受信手段で受信した携帯端末識別情報に対応する画像データを、前記抽出手段で抽出した協力者の端末装置に、通信装置を介して送信する送信手段
として機能させる
ことを特徴とする通報プログラム。
【発明の詳細な説明】
【技術分野】
【０００１】
本発明は、危険を感じた児童がその旨を第三者に通報するための方法、そのような方法を実現したシステム、及び、そのようなシステムとしてコンピュータを動作させるためのプログラムに、関する。
【背景技術】
【０００２】
特許文献１に記載された発明は、危険を感じた児童が自分の発信装置を操作することによりその発信装置が信号を発すると、その発信装置を中心とした受信可能領域内にある幾つかの発信装置が、その発信装置から信号を受信してサイレンを出力するというものである。この特許文献１に記載された発明によれば、サイレンを聞きつけた近隣住民は、近くの児童に危険が及んでいることを認知することができ、その児童を救助したり事件を未然に防いだりできる。
【０００３】
【特許文献１】特開２００６−１８５０２８号公報（段落００２７、００２８）
【発明の開示】
【発明が解決しようとする課題】
【０００４】
しかし、前述した特許文献１に記載された発明によれば、どの子供が発信装置を操作して信号を発したのかが、サイレンを聞いた近隣住民にとって分からないものとなっていた。このため、必ずしも、危険を感じている児童を救助したり事件を未然に防いだりできないという問題があった。
【０００５】
本発明は、前述した従来技術の有する問題点に鑑みてなされたものであり、その課題は、児童を救助しようとする者がどの児童を救助すべきかを即座に認識できるようにすることにある。
【課題を解決するための手段】
【０００６】
上記の課題を解決するために案出された通報方法は、コンピュータが、複数の協力者の端末装置ごとにその協力者の居所の所在を特定する位置情報を記録した協力者情報管理テーブルと、複数の児童が所持する携帯端末装置を一意に特定するための携帯端末識別情報とその児童の顔写真とを記録した児童情報管理テーブルとを備え、何れかの携帯端末装置の携帯端末識別情報とその携帯端末装置の所在を特定する位置情報とを、通信装置を介して受信する受信手順、前記協力者情報管理テーブルを参照し、前記受信手順で受信した位置情報により特定される位置から所定の範囲に含まれる協力者の端末装置を抽出する抽出手順、及び、前記受信手順で受信した携帯端末識別情報に対応する画像データを、前記抽出手順で抽出した協力者の端末装置に、通信装置を介して送信する送信手順を実行することを、特徴としている。
【０００７】
このように構成されると、コンピュータは、何れかの児童の携帯端末装置が識別情報及び位置情報を送信してきた時に、その児童の顔写真を含む電子メールを、その携帯端末装置から所定の範囲に含まれる協力者端末装置へ、送信する。協力者は、協力者端末装置においてこの電子メールを受信すると、その電子メールに基づいて児童の顔写真を協力者端末装置に表示させることができる。このため、その児童を救助しようとする協力者は、どの児童を救助すべきかを、即座に認識できる。
【発明の効果】
【０００８】
従って、本発明によれば、児童を救助しようとする者がどの児童を救助すべきかを即座に認識できるようになる。
【発明を実施するための最良の形態】
【０００９】
以下、添付図面を参照しながら、本発明を実施するための最良の形態について、詳細に説明する。
【００１０】
図１は、本実施形態のコンピュータネットワークシステムの構成図である。
【００１１】
本実施形態のコンピュータネットワークシステムは、携帯端末装置１０、中継装置２０、保護者端末装置３０、協力者端末装置４０、及び、通報制御装置５０からなる。このうち、携帯端末装置１０以外の装置２０〜５０は、ネットワークＮを介して通信自在に接続されている。
【００１２】
携帯端末装置１０は、電話機能、電子メール送受信機能、及び、測位機能を有する装置であり、具体的には、携帯電話機やＰＤＡ［Personal Digital Assistant］である。なお、測位機能は、複数の人工衛星から電波の形態で受信した情報に基づいてその地点の緯度及び経度を位置情報として生成する機能であり、アンテナなどのハードウエアと位置情報を生成するソフトウエアとにより実現される。また、この携帯端末装置１０は、操作者（児童）による所定の操作をトリガとして携帯電話番号及び位置情報を通報制御装置５０へ送信する機能をも、有している。その送信手段は、携帯電話番号及び位置情報を含む電子メールを通報制御装置５０へ送信するプログラムであっても良いし、携帯電話番号及び位置情報を電気信号の形態で電話回線を通じて送信するプログラムであっても良い。また、トリガ手段は、筐体表面に設けられたボタンが操作者（児童）に押下されると上記プログラムを起動させる機構であっても良いし、内蔵された紐が引き抜かれると上記プログラムを起動させる機構であっても良い。さらに、この携帯端末装置１０は、児童が背負っているランドセルの蓋に一面を覆うように取り付けられた可撓な薄型表示装置に接続されることにより、この薄型表示装置に内蔵される電子ペーパーに所定の画像を出力する機能を有するものであってもよい。
【００１３】
中継装置２０は、携帯端末装置１０とネットワークＮ上の図示せぬコンピュータとの間でデータを中継する装置であり、各地の基地局内に設置されている。この中継装置２０は、電柱やビル屋上などに設置された図示せぬアンテナを幾つか備えており、そのアンテナを通じて携帯端末装置１０との間で電波の形態でデータを遣り取りする。
【００１４】
保護者端末装置３０及び協力者端末装置４０は、何れも、電子メール送受信機能を実現するためのいわゆるメーラーが導入された一般的なパーソナルコンピュータである。保護者端末装置３０は、児童の保護者が使用する端末装置であり、協力者端末装置４０は、児童の救助に携われる協力者が使用する端末装置である。
【００１５】
通報制御装置５０は、身の危険を感じた児童が自分の携帯端末装置１０を通じて救助を求めてきた場合に、適切な協力者にその旨を通報するための装置である。
【００１６】
図２は、通報制御装置５０の構成図である。
【００１７】
図２に示すように、通報制御装置５０は、二個のテーブル５１、５２と二個のソフトウエア５３、５４がそれぞれ導入された汎用コンピュータである。従って、通報制御装置５０は、通信アダプタ５０ａ、ストレージユニット５０ｂ、ＣＰＵ［Central Processing Unit］５０ｃ、及び、メモリユニット５０ｄを、内蔵している。このうち、ストレージユニット５０ｂには、児童情報管理テーブル５１、協力者情報管理テーブル５２、地図ソフトウエア５３、及び、通報ソフトウエア５４が、導入されている。
【００１８】
図３は、児童情報管理テーブル５１のデータ構造の一例を示す図である。
【００１９】
図３に示すように、児童情報管理テーブル５１の各レコードは、「児童名」、「携帯電話番号」、「電子メールアドレス（本人）」、「顔写真」、「保護者名」、「住所」、「自宅電話番号」、「電子メールアドレス（保護者）」、「学校名」、「学校電話番号」及び「電子メールアドレス（学校）」の各フィールドを、有している。「児童名」フィールドは、その児童の氏名が記録されるフィールドである。「携帯電話番号」及び「電子メールアドレス（本人）」の各フィールドは、その児童が所持する携帯端末装置１０の電話番号及び電子メールアドレスがそれぞれ記録されるフィールドである。「顔写真」フィールドは、その児童の顔写真を表示するための画像データの格納位置を特定するパス等の格納位置情報が記録されるフィールドである。「保護者名」フィールドは、その保護者の氏名が記録されるフィールドである。「住所」及び「自宅電話番号」の各フィールドは、その児童及び保護者の自宅の住所及び電話番号がそれぞれ記録されるフィールドである。「電子メールアドレス（保護者）」フィールドは、その児童及び保護者の自宅にある保護者端末装置３０の電子メールアドレスが記録されるフィールドである。「学校名」及び「学校電話番号」の各フィールドは、その児童が通っている学校の名称及び電話番号が記録されるフィールドである。「電子メールアドレス（学校）」フィールドは、その児童が通っている学校にある図示せぬ端末装置の電子メールアドレスが記録されるフィールドである。
【００２０】
なお、通報制御装置５０が、各児童に関する情報をこの児童情報管理テーブル５１に記憶することは、前述した第２の記憶手順に相当している。
【００２１】
図４は、協力者情報管理テーブル５２のデータ構造の一例を示す図である。
【００２２】
図４に示すように、協力者情報管理テーブル５２の各レコードは、「協力者名」、「住所」、「自宅位置情報」、「自宅電話番号」、「電子メールアドレス（協力者）」、「顔写真」及び「救助可否フラグ」の各フィールドを、有している。「協力者名」フィールドは、その協力者の氏名が記録されるフィールドである。「住所」及び「自宅電話番号」の各フィールドは、その協力者の自宅の住所及び電話番号がそれぞれ記録されるフィールドである。「自宅位置情報」フィールドは、その協力者の自宅がある場所の緯度及び経度が記録されるフィールドである。「電子メールアドレス（協力者）」フィールドは、その協力者の自宅にある協力者端末装置４０の電子メールアドレスが記録されるフィールドである。「顔写真」フィールドは、その協力者の顔写真を表示するための画像データの格納位置を特定するパス等の格納位置情報が記録されるフィールドである。「救助可否フラグ」フィールドは、その協力者が児童の救助を行える状態にあるか否かを示す救助可否フラグが記録されるフィールドである。なお、この救助可否フラグは、その協力者が旅行に行くなど自宅から長期に離れるときに協力者端末装置４０の所定の機能を操作することによって、児童の救助を行える状態を示す「０」から、児童の救助を行えない状態を示す「１」へと、切り替えられる。
【００２３】
なお、通報制御装置５０が、各協力者に関する情報をこの協力者情報管理テーブル５２に記憶することは、前述した第１の記憶手順に相当している。
【００２４】
地図ソフトウエア５３は、縮尺と位置情報とが与えられると、その位置情報にて特定される位置を中心とした領域についての与えられた縮尺の地図の画像を生成して表示するプログラムである。この地図ソフトウエア５３は、ごく一般的な周知のソフトウエアであるので、これについての詳細な説明は省略する。
【００２５】
通報ソフトウエア５４は、身の危険を感じた児童が自分の携帯端末装置１０を通じて救助を求めてきた場合に、適切な協力者にその旨を通報するためのプログラムである。この通報ソフトウエア５４は、電子メール送受信機能を実現するモジュールプログラムを、含んでいる。この通報ソフトウエア５４は、通報制御装置５０の主電源が投入されると、ＣＰＵ５０ｃによって起動されるようになっている。この通報ソフトウエア５４に従ってＣＰＵ５０ｃが実行する通報処理の内容については、図４を用いて後述する。
【００２６】
図５及び図６は、通報ソフトウエア５４による通報処理の流れを示す図である。
【００２７】
通報処理の開始後、最初のステップＳ１０１では、ＣＰＵ５０ｃは、何れかの携帯端末装置１０から携帯電話番号及び位置情報が送られてくるまで、待機する。そして、何れかの携帯端末装置１０から形態電話番号及び位置情報が送られてくると、ＣＰＵ５０ｃは、ステップＳ１０２へ処理を進める。
【００２８】
なお、このステップＳ１０１は、前述した受信手順に相当している。
【００２９】
ステップＳ１０２では、ＣＰＵ５０ｃは、ステップＳ１０３の被通報者決定サブルーチンの判定処理（ステップＳ２０２）において使用する上限値を１ｋｍに設定する。
【００３０】
次のステップＳ１０３において、ＣＰＵ５０ｃは、被通報者決定サブルーチンを実行する。
【００３１】
図７は、被通報者決定サブルーチンの流れを示す図である。
【００３２】
被通報者決定サブルーチンの開始後、ＣＰＵ５０ｃは、第１の処理ループＬ１を実行する。第１の処理ループＬ１では、ＣＰＵ５０ｃは、図４の協力者情報管理テーブル５２の全てのレコードのそれぞれについて、ステップＳ２０１乃至Ｓ２０４の処理を、実行する。
【００３３】
ステップＳ２０１では、ＣＰＵ５０ｃは、ステップＳ１０１で受信した位置情報と、処理対象レコードの「自宅位置情報」フィールド内の位置情報とに基づいて、距離を算出する。
【００３４】
次のステップＳ２０２では、ＣＰＵ５０ｃは、ステップＳ１０１で算出した距離がこの時点で設定されている上限値未満であるか否かを、判別する。そして、ステップＳ１０１で算出した距離がこの時点で設定されている上限値以上であった場合、ＣＰＵ５０ｃは、ステップＳ２０２から処理を分岐させ、この処理対象レコードに対する処理を終了する。一方、ステップＳ１０１で算出した距離がこの時点で設定されている上限値未満であった場合、ＣＰＵ５０ｃは、ステップＳ２０３へ処理を進める。
【００３５】
ステップＳ２０３では、ＣＰＵ５０ｃは、処理対象レコードの「救助可否」フィールドの値が救助可を示す「０」であるか否かを、判別する。そして、処理対象レコードの「救助可否」フィールドの値が救助不可を示す「１」であった場合、ＣＰＵ５０ｃは、ステップＳ２０３から処理を分岐させ、この処理対象レコードに対する処理を終了する。一方、処理対象レコードの「救助可否」フィールドの値が救助可を示す「０」であった場合、ＣＰＵ５０ｃは、ステップＳ２０４へ処理を進める。
【００３６】
ステップＳ２０４では、ＣＰＵ５０ｃは、処理対象レコードの「協力者名」及び「電子メールアドレス（協力者）」の各フィールドの値を、一つのレコードとして、被通報者テーブルに登録する。その後、ＣＰＵ５０ｃは、この処理対象レコードに対する処理を終了する。
【００３７】
ＣＰＵ５０ｃは、図４の協力者情報管理テーブル５２の全てのレコードのそれぞれについて、ステップＳ２０１乃至Ｓ２０４の処理を実行することにより、被通報者テーブルを生成し終えると、第１の処理ループＬ１から離脱し、図７に係る被通報者決定サブルーチンを終了する。そして、ＣＰＵ５０ｃは、図５のステップＳ１０４へ処理を進める。
【００３８】
なお、この第１の処理ループＬ１は、前述した算出手順及び前述した抽出手順に相当している。
【００３９】
ステップＳ１０４では、ＣＰＵ５０ｃは、ステップＳ１０１で受信した携帯電話番号を検索条件として、児童情報管理テーブル５１を検索する。そして、児童情報管理テーブル５１から何れかのレコードが検出されると、ＣＰＵ５０ｃは、ステップＳ１０５へ処理を進める。
【００４０】
なお、このステップＳ１０４は、前述した読出手順に相当している。
【００４１】
ステップＳ１０５では、ＣＰＵ５０ｃは、ステップＳ１０４で検出したレコードの「顔写真」フィールドの値にて示される画像データを、読み出す。
【００４２】
次のステップＳ１０６では、ＣＰＵ５０ｃは、地図ソフトウエア５３を起動して、ステップＳ１０１で受信した位置情報と所定の縮尺を特定する情報とをこの地図ソフトウエア５３に引き渡し、この地図ソフトウエア５３から地図の画像データを戻り値として取得する。
【００４３】
次のステップＳ１０７では、ＣＰＵ５０ｃは、救助を要求する旨が記述された電子メールである救助要求メールを生成する。この救助要求メールには、ステップＳ１０５で読み出した画像データと、ステップＳ１０６で取得した画像データとが、含まれる。
【００４４】
図８は、この救助要求メール６１の内容の一例を示す図である。
【００４５】
図８に示すように、救助要求メール６１には、ステップＳ１０１で受信した携帯電話番号及び位置情報の送信元の携帯端末装置１０の所持者（児童）の氏名６１ａが、記述されている。また、救助要求メール６１は、その児童の顔写真の画像６１ｂと、その児童の携帯端末装置１０の現在位置を中心とする地図の画像６１ｃとを、含んでいる。さらに、救助要求メール６１は、その児童の救助に向かうことを決めた協力者がクリックすべき救助ボタン６１ｄを、含んでいる。なお、この救助ボタン６１ｄがクリックされると、その回答として電子メールが通報制御装置５０へ送信されるようになっている。
【００４６】
ＣＰＵ５０ｃは、この図８に示すような内容を表示するための救助要求メール６１を生成した後、ステップＳ１０８へ処理を進める。
【００４７】
なお、これらステップＳ１０５乃至Ｓ１０７は、前述した生成手順に相当している。
【００４８】
ステップＳ１０８では、ＣＰＵ５０ｃは、ステップＳ１０３の被通報者決定サブルーチンで生成した被通報者テーブルに記録されている全ての電子メールアドレス宛に、ステップＳ１０８で生成した救助要求メール６１を送信する。
【００４９】
次のステップＳ１０９では、ＣＰＵ５０ｃは、ステップＳ１０４で検出したレコードの「電子メールアドレス（保護者）」及び「電子メールアドレス（学校）」の各フィールドの値が示す電子メールアドレス宛に、ステップＳ１０８で生成した救助要求メール６１を送信する。なお、保護者端末装置３０及び学校の図示せぬ端末装置宛に送信される救助要求メール６１には、救助ボタン６１ｄが含まれていなくても良い。
【００５０】
なお、このステップＳ１０９は、前述した送信手順に相当している。
【００５１】
次のステップＳ１１０では、ＣＰＵ５０ｃは、ステップＳ１０８で救助要求メール６１を送信した協力者端末装置４０の何れかから、救助ボタン６１ｄのクリックがトリガとなって送信される回答としての電子メールを受信したか否かを、判別する。そして、何れの協力者端末装置４０からも回答としての電子メールを受信しなかった場合、ＣＰＵ５０ｃは、ステップＳ１１０からステップＳ１１１へ処理を分岐させる。
【００５２】
ステップＳ１１１では、ＣＰＵ５０ｃは、救助要求メールを送信してから５分が経過したか否かを、判別する。そして、救助要求メールを送信してから５分が経過していなかった場合、ＣＰＵ５０ｃは、ステップＳ１１１から処理を分岐させ、ステップＳ１１０へ処理を戻す。
【００５３】
これらステップＳ１１０及びステップＳ１１１の処理ループの実行中、救助要求メールを送信してから５分が経過していた場合、ＣＰＵ５０ｃは、ステップＳ１１１からステップＳ１１２へ処理を進める。
【００５４】
ステップＳ１１２では、ＣＰＵ５０ｃは、ステップＳ１１３の被通報者決定サブルーチンの判定処理（ステップＳ２０２）において使用する上限値として設定されている値に、＋０．５ｋｍを加算する。
【００５５】
次のステップＳ１１３では、ＣＰＵ５０ｃは、被通報者決定サブルーチンを実行する。この被通報者決定サブルーチンの内容については、図７を用いて既に説明しているので、ここでは省略する。この被通報者決定サブルーチンの実行により、被通報者テーブルを生成し終えると、ＣＰＵ５０ｃは、ステップＳ１１４へ処理を進める。
【００５６】
なお、これらステップＳ１１０乃至Ｓ１１３は、再抽出手順に相当している。
【００５７】
ステップＳ１１４では、ＣＰＵ５０ｃは、ステップＳ１１３の被通報者決定サブルーチンで生成した被通報者テーブルに記録されている全ての電子メールアドレス宛に、ステップＳ１０８で生成した救助要求メール６１を送信する。その後、ＣＰＵ５０ｃは、ステップＳ１１０へ処理を戻す。
【００５８】
なお、このステップＳ１１４は、再送信手順に相当している。
【００５９】
一方、ステップＳ１１０及びステップＳ１１１の処理ループの実行中、何れの協力者端末装置４０から回答としての電子メールを受信した場合、ＣＰＵ５０ｃは、ステップＳ１１０からステップＳ１１５へ処理を進める。
【００６０】
ステップＳ１１５では、ＣＰＵ５０ｃは、ステップＳ１１０で受信した返信メールの送信元の電子メールアドレスを検索条件として、図４の協力者情報管理テーブル５２を検索する。そして、協力者情報管理テーブル５２から何れかのレコードが検出されると、ＣＰＵ５０ｃは、ステップＳ１１６へ処理を進める。
【００６１】
なお、ステップＳ１１０は、第２の受信手順に相当し、ステップＳ１１５は、第２の読出手順に相当している。
【００６２】
ステップＳ１１６では、ＣＰＵ５０ｃは、ステップＳ１１５で検出したレコードの「顔写真」フィールドの値にて示される画像データを、読み出す。
【００６３】
次のステップＳ１１７では、ＣＰＵ５０ｃは、救助へ向かう旨が記述された電子メールである応答メールを、生成する。この応答メールには、ステップＳ１１６で読み出した画像データが、含まれる。
【００６４】
図９は、この応答メール６２の内容の一例を示す図である。
【００６５】
図９に示すように、応答メール６２には、ステップＳ１１５で検出したレコードの「協力者名」フィールドの値である協力者の氏名６２ａが、記述されている。また、応答メール６２は、その協力の顔写真の画像６２ｂを、含んでいる。
【００６６】
ＣＰＵ５０ｃは、この図９に示すような内容を表示するための応答メール６２を生成した後、ステップＳ１１８へ処理を進める。
【００６７】
なお、これらステップＳ１１６及びＳ１１７は、第２の生成手順に相当している。
【００６８】
ステップＳ１１８では、ＣＰＵ５０ｃは、ステップＳ１０１で受信した携帯電話番号及び位置情報の送信元の携帯端末装置１０へ、ステップＳ１１７で生成した応答メールを送信する。その後、ＣＰＵ５０ｃは、図５及び図６に係る通報処理を終了する。
【００６９】
なお、このステップ１１８は、第２の送信手順に相当している。
【００７０】
ここで、児童の携帯端末装置１０に送信された応答メールは、その携帯端末装置１０のディスプレイに表示される。このとき、携帯端末装置１０は、児童が背負っているランドセルの蓋に一面を覆うように取り付けられた可撓な薄型表示装置に接続されている場合、その薄型表示装置に内蔵される電子ペーパーに所定の画像を出力しても良い。
【００７１】
また、上記の説明においては、各端末装置との送受信を電子メールを用いて行っているが、電話番号を利用したショートメッセージサービス等、その実施形態は問わない。ショートメッセージサービスの場合であれば、児童情報管理テーブル５１における携帯端末識別情報は携帯電話番号となる。
【００７２】
本実施形態のコンピュータネットワークシステムが以上のように構成されているため、児童が、自分に危険が及んでいると感じたときには、自分の携帯端末装置１０のトリガ手段の操作（ボタン押下、紐の引き抜き）をすると、その児童の携帯端末装置１０の現在位置から１ｋｍ以内に自宅がある協力者の協力者端末装置４０へ、図８のような救助要求メール６１が送信される（ステップＳ１０１〜Ｓ１０８）。その救助要求メール６１には、その児童の顔写真の画像６１ｂが含まれているため、協力者は、どの児童を救助すべきかを、即座に認識することができる。
【００７３】
また、その救助要求メール６１を協力者端末装置４０で受信した協力者のうち、児童の救助に向かえる協力者が、救助要求メール６１内の救助ボタン６１ｄをクリックすると、その児童の携帯端末装置１０へ、図９のような応答メール６２が送信される（ステップＳ１１０；ＹＥＳ、Ｓ１１５〜Ｓ１１８）。その応答メール６２には、救助に向かう協力者の顔写真の画像６２ｂが含まれているため、救助を要求している児童は、どの協力者が救助しにきてくれるかを、即座に認識することができる。
【００７４】
また、通報制御装置５０は、救助要求メールを協力者端末装置４０に送信した協力者から返信がない場合、５分ごとに、被通報者の探索範囲を０．５ｋｍずつ増やして、救助要求メール６１の送信対象となる被通報者を増やすための処理を行う（ステップＳ１１０；ＮＯ、Ｓ１１１〜Ｓ１１４）。これにより、救助に向かう協力者が児童の近くに居なかった場合でも、若干離れた場所にいる協力者に救助を呼びかけることができる。
【００７５】
さらに、本実施形態によれば、児童が所持する携帯端末装置１０が、児童が背負っているランドセルの蓋に一面を覆うように取り付けられた過当な薄型表示装置に接続されている場合、応答メール６２を受信したときに、その薄型表示装置に内蔵される電子ペーパーに所定の画像（例えば、「助けて下さい！」という内容が記述された画像）を表示することができる。このため、この児童の救助に向かっている協力者が、その児童を探し出す際に、即座に探し当てることができる。
【００７６】
（付記１）
コンピュータが、
複数の協力者の端末装置ごとにその協力者の居所の所在を特定する位置情報を記録した協力者情報管理テーブルと、
複数の児童が所持する携帯端末装置を一意に特定するための携帯端末識別情報とその児童の顔写真とを記録した児童情報管理テーブルとを備え、
何れかの携帯端末装置の携帯端末識別情報とその携帯端末装置の所在を特定する位置情報とを、通信装置を介して受信する受信手順、
前記協力者情報管理テーブルを参照し、前記受信手順で受信した位置情報により特定される位置から所定の範囲に含まれる協力者の端末装置を抽出する抽出手順、及び、
前記受信手順で受信した携帯端末識別情報に対応する画像データを、前記抽出手順で抽出した協力者の端末装置に、通信装置を介して送信する送信手順
を実行する
ことを特徴とする通報方法。
【００７７】
（付記２）
前記協力者情報管理テーブルは、協力者の画像データを含み、
前記協力者端末装置から、回答を通信装置を介して受信すると、前記協力者情報管理テーブルを参照し、該協力者端末装置に対応する協力者の画像データを、前記携帯端末装置へ、通信装置を介して送信する第２の送信手順
を実行する
ことを特徴とする付記１記載の通報方法。
【００７８】
（付記３）
複数の協力者の端末装置ごとにその協力者の居所の所在を特定する位置情報を記録した協力者情報管理テーブル、
複数の児童が所持する携帯端末装置を一意に特定するための携帯端末識別情報とその児童の顔写真とを記録した児童情報管理テーブル、
何れかの携帯端末装置の携帯端末識別情報とその携帯端末装置の所在を特定する位置情報とを、通信装置を介して受信する受信部、
前記協力者情報管理テーブルを参照し、前記受信部で受信した位置情報により特定される位置から所定の範囲に含まれる協力者の端末装置を抽出する抽出部、及び、
前記受信部で受信した携帯端末識別情報に対応する画像データを、前記抽出部で抽出した協力者の端末装置に、通信装置を介して送信する送信部
を備えることを特徴とする通報システム。
【００７９】
（付記４）
前記協力者情報管理テーブルは、協力者の画像データを含み、
前記協力者端末装置から、回答を通信装置を介して受信すると、前記協力者情報管理テーブルを参照し、該協力者端末装置に対応する協力者の画像データを、前記携帯端末装置へ、通信装置を介して送信する第２の送信部
を備えることを特徴とする付記３記載の通報システム。
【００８０】
（付記５）
コンピュータを、
複数の協力者の端末装置ごとにその協力者の居所の所在を特定する位置情報を記録した協力者情報管理テーブル、
複数の児童が所持する携帯端末装置を一意に特定するための携帯端末識別情報とその児童の顔写真とを記録した児童情報管理テーブルと、
何れかの携帯端末装置の携帯端末識別情報とその携帯端末装置の所在を特定する位置情報とを、通信装置を介して受信する受信手段、
前記協力者情報管理テーブルを参照し、前記受信手段で受信した位置情報により特定される位置から所定の範囲に含まれる協力者の端末装置を抽出する抽出手段、及び、
前記受信手段で受信した携帯端末識別情報に対応する画像データを、前記抽出手段で抽出した協力者の端末装置に、通信装置を介して送信する送信手段
として機能させる
ことを特徴とする通報プログラム。
【００８１】
（付記６）
前記協力者情報管理テーブルは、協力者の画像データを含み、
前記協力者端末装置から、回答を通信装置を介して受信すると、前記協力者情報管理テーブルを参照し、該協力者端末装置に対応する協力者の画像データを、前記携帯端末装置へ、通信装置を介して送信する第２の送信手段
として機能させる
ことを特徴とする付記５記載の通報プログラム。
【図面の簡単な説明】
【００８２】
【図１】本実施形態のコンピュータネットワークシステムの構成図
【図２】通報制御装置の構成図
【図３】児童情報管理テーブルのデータ構造の一例を示す図
【図４】協力者情報管理テーブルのデータ構造の一例を示す図
【図５】通報ソフトウエアによる通報処理の流れを示す図
【図６】通報ソフトウエアによる通報処理の流れを示す図
【図７】被通報者決定サブルーチンの流れを示す図
【図８】救助要求メールの内容の一例を示す図
【図９】応答メールの内容の一例を示す図
【符号の説明】
【００８３】
１０    携帯端末装置
２０    中継装置
３０    保護者端末装置
４０    協力者端末装置
５０    通報制御装置
５０ａ  通信アダプタ
５０ｂ  ストレージユニット
５０ｃ  ＣＰＵ
５０ｄ  メモリユニット
５１    児童情報管理テーブル
５２    協力者情報管理テーブル
５３    地図ソフトウエア
５４    通報ソフトウエア
【図１】
2008211471.tif 000003
【図２】
2008211471.tif 000004
【図３】
2008211471.tif 000005
【図４】
2008211471.tif 000006
【図５】
2008211471.tif 000007
【図６】
2008211471.tif 000008
【図７】
2008211471.tif 000009
【図８】
2008211471.tif 000010
【図９】
2008211471.tif 000011
【手続補正書】
【提出日】平成20年1月15日(2008.1.15)
【手続補正１】
【補正対象書類名】図面
【補正対象項目名】図８
【補正方法】変更
【補正の内容】
【図８】
2008211471.tif 000012